(57)【要約】【課題】輸送時に不測に消火薬剤が放出する事故を防止できる廃棄消火器を提供する。【解決手段】本体容器１の上方ヘッド部に固定された固定レバー６と、この固定レバー６の上側に対向配備され枢軸７回りに開閉回動自在に枢着され、その閉回動操作により本体容器１内の消火薬剤を放出する起動レバー８と、この起動レバー８の下側において起立姿勢と傾倒姿勢とにわたって枢軸１３回りに回動自在に枢着され起立姿勢で起動レバー８を開き状態にロックするレバー支持部材９と、を備えた廃棄消火器において、固定レバー６と起動レバー８との間に介在物２０が起立姿勢のレバー支持部材９の傾倒を規制すると共に起動レバー８の閉回動を規制するように介在されている。【選択図】図１
2008253396.tif 000002
【特許請求の範囲】
【請求項１】
本体容器の上方ヘッド部に固定された固定レバーと、この固定レバーの上側に対向配備され枢軸回りに開閉回動自在に枢着され、その閉回動操作により前記本体容器内の消火薬剤を放出する起動レバーと、この起動レバーの下側において起立姿勢と傾倒姿勢とにわたって枢軸回りに回動自在に枢着され起立姿勢で前記起動レバーを開き状態にロックするレバー支持部材と、を備えた廃棄消火器において、
前記固定レバーと起動レバーとの間に介在物が前記起立姿勢のレバー支持部材の傾倒を規制すると共に前記起動レバーの閉回動を規制するように介在されていることを特徴とする、廃棄消火器。
【請求項２】
前記介在物は前記固定レバーと起動レバーとの間に形成される空間形状に対応する形状に形成された定形物からなる、請求項１記載の廃棄消火器。
【請求項３】
前記固定レバーと起動レバーに対し前記介在物が粘着テープで止め付けられている、請求項１又は２記載の廃棄消火器。
【請求項４】
前記廃棄消火器が強度のある袋に入れられ、該袋の口が紐等により封口されている、請求項１ないし３のいずれか１項に記載の廃棄消火器。
【発明の詳細な説明】
【技術分野】
【０００１】
本発明は、回収される加圧式、蓄圧式等の廃棄消火器の輸送時に不測に消火薬剤が放出する事故を防止する手段を備えた廃棄消火器に関する。
【背景技術】
【０００２】
従来、回収される廃棄消火器は、段ボール箱や特定の多本数移送用箱に無梱包状態に納めて専用車両に積載して輸送されていた。回収される加圧式や蓄圧式等の消火器は、例えば、図４に示すように、消火薬剤が充填された本体容器３０の上方ヘッド部に枢軸３１回りに開閉回動自在に枢着され、その閉回動操作により消火薬剤を放出する起動レバー３２と、この起動レバー３２の下側において起立姿勢と傾倒姿勢とにわたって枢軸３３回りに回動自在に枢着され起立姿勢で起動レバー３２を開き状態にロックするレバー支持部材３４とを備え、これら起動レバー３２とレバー支持部材３４には起動レバー３２の不時の作動を防止するために安全栓３５が取り付けられている。安全栓３５は起動レバー３２の上壁部に前後に設けた開口３８，３９にこれの上方から差し込み、更にレバー支持部材３４の栓受け溝４０，４１に挿入係合し、これにより該レバー支持部材３４の傾倒を防止し起動レバー３２の不時の作動を防止している（例えば、特許文献１，２参照。）。
【０００３】
【特許文献１】実公昭６２−４３５７１号公報
【特許文献２】特開２００４−３５８０４３号公報
【発明の開示】
【発明が解決しようとする課題】
【０００４】
しかしながら、回収される上記廃棄消火器では、輸送時、例えば、一般家庭で使用していた消火器を個人が郵便や民間輸送業者等を通じて輸送する時に、安全栓３５が既に脱落していたり、不慮に安全栓３５が外れたりすると、起動レバー３２に外力が作用して起動レバー３２が押し下げられることで本体容器３０内に残っている消火薬剤が放出し、他の混載商品に被害を加えるなど不測の事態が発生することがあった。
【０００５】
本発明は、上記のような問題を解消するためになされたものであり、輸送時に不測に消火薬剤が放出する事故を防止できて安全性に優れる廃棄消火器を提供することを目的とする。
【課題を解決するための手段】
【０００６】
本発明は、請求項１に記載のように、本体容器の上方ヘッド部に固定された固定レバーと、この固定レバーの上側に対向配備され枢軸回りに開閉回動自在に枢着され、その閉回動操作により前記本体容器内の消火薬剤を放出する起動レバーと、この起動レバーの下側において起立姿勢と傾倒姿勢とにわたって枢軸回りに回動自在に枢着され起立姿勢で前記起動レバーを開き状態にロックするレバー支持部材と、を備えた廃棄消火器において、前記固定レバーと起動レバーとの間に介在物が前記起立姿勢のレバー支持部材の傾倒を規制すると共に前記起動レバーの閉回動を規制するように介在されていることに特徴を有するものである。
このような構成によれば、固定レバーと起動レバーとの間に介在物を介在させるという簡単な手段で、輸送時に安全栓が脱落していたり、あるいは不慮に安全栓が外れたりするようなことがあっても、不測に消火薬剤が放出する事故を防止できる。また、介在物はレバー支持部材の傾倒規制と起動レバーの閉回動規制の二重ロックを行っているので、起動レバーが強い外力を受けるようなことがあっても押し下げられるのを確実に防止できる。
【０００７】
請求項１記載に廃棄消火器は、請求項２に記載のように、前記介在物は前記固定レバーと起動レバーとの間に形成される空間形状に対応する形状に形成された定形物からなるものとすることができる。これによれば、定形物たる介在物を固定レバーと起動レバーとの間に介在させるだけの簡単な作業で足りるため、例えば、固定レバーと起動レバーをガムテープ等でぐるぐる巻き付けて起動レバーの閉回動規制を講じる作業に比べ、作業性に優れる。
【０００８】
請求項１又は２記載の廃棄消火器は、請求項３記載のように、前記固定レバーと起動レバーに対し前記介在物が粘着テープで止め付けられたものとすることができる。これによれば、介在物が固定レバーと起動レバーとの間から外れるのを確実に防止できるため、介在物によるレバー支持部材の傾倒規制状態および起動レバーの閉回動規制状態を安定かつ確実に維持することができる。
【０００９】
請求項１ないし３のいずれか１項に記載の廃棄消火器は、請求項４記載のように、前記廃棄消火器が強度のある袋に入れられ、該袋の口が紐等により封口されているものとすることができる。これによれば、万が一、消火薬剤が放出するようなことがあっても、消火薬剤の飛散被害を袋内部で最小限に止めることができる。また金属製の本体容器が激しく錆びついて耐圧強度を著しく低下している状態下で、消火薬剤の放出に伴い本体容器が破裂爆発した場合でも、強度のある袋の被覆により被害を最小限に止めることができる。
【発明の効果】
【００１０】
本発明によれば、固定レバーと起動レバーとの間に介在物を介在させるという簡単な手段で、輸送時に安全栓が脱落していたり、不慮に安全栓が外れたりするようなことがあっても、不測に消火薬剤が放出する事故を防止できる。とくに、介在物はレバー支持部材の傾倒規制と起動レバーの閉回動規制の二重ロックを行っているので、起動レバーが強い外力を受けても押し下げられるのを確実に防止できて安全性に優れる。
【発明を実施するための最良の形態】
【００１１】
以下、本発明の好適な実施形態を図面に基づき説明する。図１は本発明の一実施例に係る廃棄消火器のヘッド部の縦断側面図、図２は図１におけるＡ−Ａ線端面図、図３は図１の廃棄消火器を袋に入れた状態を示す透視図である。
【００１２】
本発明の対象とする廃棄消火器の全体的な基本構成については従来の標準タイプの加圧式消火器や蓄圧式消火器と同じである。図１では加圧式消火器を示しており、消火薬剤が充填される本体容器１の上方ヘッド部にはバルブ２が取り付けられ、バルブ２の下面側には消火薬剤を放射する圧力源である加圧用ガス容器３が固定されている。加圧用ガス容器３の上方のバルブ２内には、使用時に後述する起動レバー８の閉回動操作に伴い加圧用ガス容器３の封板４を突き破るために下端５ａを尖らせた破壊用針棒５が上下動自在に組み込まれている。
【００１３】
バルブ２の上部には断面溝形状の固定レバー６と、この固定レバー６の上方に対向配備され、該固定レバー６の前端側の基部に枢軸７により前端側の基部を開閉回動自在に枢着した起動レバー８とが設けられている。起動レバー８は上壁部８ａと両側壁部８ｂ，８ｂとを有する断面下方開放状の溝形状に形成されている。破壊用針棒５の上端部は起動レバー８の基部寄りの一部８ｃに係止されている。
【００１４】
起動レバー８の不時の作動を防止するために、レバー支持部材９と、このレバー支持部材９の倒れを防止するための安全栓１０とが設けられている。
レバー支持部材９は、耐摩耗性に優れるポリアセタール系樹脂やポリアミド系樹脂等のプラスチック成形品であって、その上方が自由上端部９ａとされ、前後に栓受け溝１１，１２が上下縦方向に形成されている。レバー支持部材９は、起動レバー８の下側において、その下端基部９ｂが固定レバー６に対して枢軸１３をもって枢着されている。かくして、レバー支持部材９は、自由上端部９ａを起動レバー８の上壁部８ａの下面に対し突っ張り状態に当接して該起動レバー８を開き姿勢にロックする起立姿勢と、起動レバー８の閉じ回動に伴い自由上端部９ａが上壁部８ａの下面を滑りながら固定レバー６の上に倒れる傾倒姿勢とにわたって枢軸１３回りに回動自在である。
【００１５】
安全栓１０は、金属棒からなる直線状の差込ピン１４ａと、この差込ピン１４の上端に連続して環状に曲げられた環状部１４ｂとを有し、環状部１４ｂには樹脂製の把手１５を一体に被覆成形してなる。把手１５の下面側には前記差込ピン１４ａよりも短い差込ピン１６を前記差込ピン１４ａの前側に平行に対向するよう下向きに一体に突設してある。この安全栓１０は差込ピン１６，１４ａを起動レバー８の上壁部に前後に設けた開口１７，１８にこれの上方から差し込まれ、レバー支持部材９の栓受け溝１１，１２に挿入係合することにより該レバー支持部材９の傾倒を防止し起動レバー８の不時の作動を防止する。
【００１６】
本発明は、上記構成の消火器が廃棄されるにあたって予め固定レバー６と起動レバー８との間に介在物２０を起立姿勢のレバー支持部材９の傾倒を規制すると共に起動レバー８の閉回動を規制するように介在させることに特徴を有する。
【００１７】
介在物２０としては、二つ折りした段ボール紙や板切れ、発泡スチロール樹脂等を利用して固定レバー６と起動レバー８との間の空間形状に対応する略台形状等に形成された定形物が使用される。この定形物たる介在物２０は、図２のように、その上端を断面溝形状の起動レバー８の溝内に、下端を同じく断面溝形状の固定レバー６の溝内にそれぞれ嵌め込むことにより、起立姿勢のレバー支持部材９を起立方向に押圧してその傾倒を規制すると共に起動レバー８が押し下げられないようにその閉回動を規制している。定形物たる介在物２０は固定レバー６と起動レバー８の間に嵌め込むだけの簡単な作業で足り、作業性に優れる。
【００１８】
介在物２０は、固定レバー６と起動レバー８の間に嵌め込み後、それら固定レバー６及び起動レバー８に対し粘着テープ２１で止め付けることにより、介在物２０が固定レバー６と起動レバー８との間から外れるのを確実に防止できる。したがって、介在物２０によるレバー支持部材９の傾倒規制状態および起動レバー８の閉回動規制状態を十分に確保する。
【００１９】
かくして、上記のように介在物２０を装着した廃棄消火器は、図３のように、ケプラー繊維など強化繊維製の強くて丈夫な袋２２に入れられ、該袋２２の口を紐２３等により封口して輸送に供される。
【００２０】
輸送時には、固定レバー６と起動レバー８との間に介在物２０を介在させて起立姿勢のレバー支持部材９の傾倒を規制すると共に起動レバー８の閉回動を規制しているので、安全栓１０が既に脱落していたり、不慮に安全栓１０が外れたりするようなことがあっても、不測に消火薬剤が放出する事故を防止できる。
【００２１】
上記廃棄消火器は強度に優れる袋２２に入れられ、該袋２２の口を紐２３等により封口してあるので、万が一、消火薬剤が放出するようなことがあっても、消火薬剤の飛散被害を袋２２内部で最小限に止めることができる。また本体容器１が激しく錆びついて強度を著しく低下している状態下で、消火薬剤の放出に伴い本体容器１が破裂爆発した場合でも、強度のある袋２２の被覆により被害を最小限に止めることができるというものである。
【図面の簡単な説明】
【００２２】
【図１】本発明の一実施例に係る廃棄消火器のヘッド部の縦断側面図である。
【図２】図１におけるＡ−Ａ線端面図である。
【図３】図１の廃棄消火器を袋に入れた状態を示す透視図である。
【図４】従来例の消火器の縦断側面図である。
【符号の説明】
【００２３】
１  本体容器
６  固定レバー
７  枢軸
８  起動レバー
９  レバー支持部材
１０  安全栓
１３  枢軸
２０  介在物
２１  粘着テープ
２２  袋
２３  紐
【図１】
2008253396.tif 000003
【図２】
2008253396.tif 000004
【図３】
2008253396.tif 000005
【図４】
2008253396.tif 000006